(57)【要約】【課題】商品見本とカタログの展示をより小さいスペースで実現できるとともに、展示する商品が変更された場合でも全体を取り替える必要が無い商品見本及びカタログ展示ユニットを提供する。【解決手段】表示板と、表示板の前面に取り付けられカタログを収納可能な収納部と、表示板を後方に傾斜した状態で背面側から支持可能な表示板支持用脚部とを有するカタログスタンドと、商品見本を取り付け可能な展示板と、展示板を後方に傾斜した状態で背面側から支持する展示板支持用脚部とを有する商品見本展示スタンドとを備え、表示板は、内部に商品広告用紙を差し込み可能で且つ前面側から商品広告用紙の記載事項が見えるように構成され、展示板支持用脚部は、商品見本展示スタンドの載置面と平行に配置された載置板を有し、載置板上に表示板の下端が載置されることで商品見本展示スタンドとカタログ展示ユニットとが組み合わされる。【選択図】図１
2010082154.tif 000002
【特許請求の範囲】
【請求項１】
表示板と、上記表示板の前面に取り付けられカタログを収納可能な収納部と、上記表示板を後方に傾斜した状態で背面側から支持可能な表示板支持用脚部とを有するカタログスタンドと、
商品見本を取り付け可能な展示板と、上記展示板を後方に傾斜した状態で背面側から支持する展示板支持用脚部とを有する商品見本展示スタンドと、
を備える商品見本及びカタログ展示ユニットであって、
上記表示板は、内部に商品広告物を差し込み可能に構成され且つその前面側から上記商品広告物に記載された事項が見えるように構成され、
上記展示板支持用脚部は、上記商品見本展示スタンドの載置面と平行に配置された載置板を有し、
上記載置板上に上記表示板の下端が載置されることで、上記商品見本展示スタンドと上記カタログスタンドとが組み合わされる、商品見本及びカタログ展示ユニット。
【請求項２】
上記カタログスタンドの重量は、上記商品見本展示スタンドと上記商品見本とを合計した重量よりも重い、請求項１に記載の商品見本カタログ展示ユニット。
【請求項３】
上記展示板支持用脚部は、上記展示板と直交する方向に、互いの間隔が上記表示板の横幅と同一又は大きくなるように取り付けられた一対の側板を有し、
上記載置板は、一対の側板の下端部の内側に取り付けられている、請求項１又は２に記載の商品見本及びカタログ展示ユニット。
【請求項４】
上記傾斜状態における上記展示板の上端の高さは、上記傾斜状態における上記カタログスタンドの上記収納部に収納された上記カタログの上端の高さよりも低い、請求項１〜３のいずれか１つに記載の商品見本及びカタログ展示ユニット。
【請求項５】
上記傾斜状態における上記展示板の上端の高さは、上記傾斜状態における上記カタログスタンドの上記収納部の上端の高さよりも高い、請求項１〜４のいずれか１つに記載の商品見本及びカタログ展示ユニット。
【請求項６】
上記表示板は、前面が透明の樹脂板で構成されている、請求項１〜５のいずれか１つに記載の商品見本及びカタログ展示ユニット。
【発明の詳細な説明】
【技術分野】
【０００１】
本発明は、商品見本を展示する展示スタンドと、当該商品見本に関するカタログを展示するカタログスタンドとを組み合わせてそれらを同時に展示できるようにした商品見本及びカタログ展示ユニットに関する。
【背景技術】
【０００２】
従来、商品のカタログを展示するカタログスタンドとしては、例えば、図９及び図１０に示すようなものが一般に知られている。図９及び図１０に示すカタログスタンドは、商品を広告する表示板１０１とカタログ１０４を入れる収納部１０２と表示板１０１を傾斜状態で支持する脚部１０３とを、一枚の厚紙に切り込みを入れたり折り曲げたりして組み立てることにより構成されている。また、そのような組立式のカタログスタンドとしては、例えば特開２００２−１７７１０４号公報に開示されたものもある。
【０００３】
カタログで紹介する商品としては、多種多様なものが考えられるが、例えば部屋の電気を点灯又は消灯するときに押すスイッチなど手の平に収まる程度のサイズのものも多い。このような商品の場合、商品見本を取り付けた展示スタンドをカタログスタンドの周辺に配置して顧客の興味を促す広告手法が広く行われている。
【特許文献１】特開２００２−１７７１０４号公報
【発明の開示】
【発明が解決しようとする課題】
【０００４】
しかしながら、上記のように商品見本の展示スタンドとカタログスタンドとを別々に配置する場合には、当然ながら大きなスペースが必要となる。上記のような商品見本とカタログが置かれるショールームなどでは、このようなスペースを確保することが困難な場合が多い。このため、商品見本とカタログの展示をより小さいスペースで実現することが求められている。
【０００５】
また、上記従来のカタログスタンドでは、通常、カタログを置いたときに隠れない部分に商品の名称や簡単な説明が記載されている。この場合、上記従来のカタログスタンドが一枚の厚紙で作成されるものであるため、上記記載事項に変更があった場合にはカタログスタンド全体を取り替える必要がある。従って、変更のサイクルが早い商品の場合は、かえってコストがかかるという問題がある。
【０００６】
従って、本発明の目的は、上記問題を解決することにあって、商品見本とカタログの展示をより小さいスペースで実現するとともに、展示する商品が変更された場合でも全体を取り替える必要が無い商品見本及びカタログ展示ユニットを提供することにある。
【課題を解決するための手段】
【０００７】
上記目的を達成するために、本発明は以下のように構成する。
本発明の第１態様によれば、表示板と、上記表示板の前面に取り付けられカタログを収納可能な収納部と、上記表示板を後方に傾斜した状態で背面側から支持可能な表示板支持用脚部とを有するカタログスタンドと、
商品見本を取り付け可能な展示板と、上記展示板を後方に傾斜した状態で背面側から支持する展示板支持用脚部とを有する商品見本展示スタンドと、
を備える商品見本及びカタログ展示ユニットであって、
上記表示板は、内部に商品広告物を差し込み可能に構成され且つその前面側から上記商品広告物に記載された事項が見えるように構成され、
上記展示板支持用脚部は、上記商品見本展示スタンドの載置面と平行に配置された載置板を有し、
上記載置板上に上記表示板の下端が載置されることで、上記商品見本展示スタンドと上記カタログスタンドとが組み合わされる、商品見本及びカタログ展示ユニットを提供する。
【０００８】
本発明の第２態様によれば、上記カタログスタンドの重量は、上記商品見本展示スタンドと上記商品見本とを合計した重量よりも重い、第１態様に記載の商品見本カタログ展示ユニットを提供する。
【０００９】
本発明の第３態様によれば、上記展示板支持用脚部は、上記展示板と直交する方向に、互いの間隔が上記表示板の横幅と同一又は大きくなるように取り付けられた一対の側板を有し、
上記載置板は、一対の側板の下端部の内側に取り付けられている、第１又は２態様に記載の商品見本及びカタログ展示ユニットを提供する。
【００１０】
本発明の第４態様によれば、上記傾斜状態における上記展示板の上端の高さは、上記傾斜状態における上記カタログスタンドの上記収納部に収納された上記カタログの上端の高さよりも低い、第１〜３態様のいずれか１つに記載の商品見本及びカタログ展示ユニットを提供する。
【００１１】
本発明の第５態様によれば、上記傾斜状態における上記展示板の上端の高さは、上記傾斜状態における上記カタログスタンドの上記収納部の上端の高さよりも高い、第１〜４態様のいずれか１つに記載の商品見本及びカタログ展示ユニットを提供する。
【００１２】
本発明の第６態様によれば、上記表示板は、前面が透明の樹脂板で構成されている、第１〜５態様のいずれか１つに記載の商品見本及びカタログ展示ユニットを提供する。
【発明の効果】
【００１３】
本発明の商品見本及びカタログ展示ユニットによれば、表示板が内部に商品広告物を差し込み可能に構成されているので、展示する商品が変更された場合でも商品広告物を取り替えるだけでよく、全体を取り替える必要が無い。このため、変更のサイクルが早い商品であっても、取り替えコストを従来よりも大幅に低減することができる。
【００１４】
また、本発明の商品見本及びカタログ展示ユニットによれば、載置板上に表示板の下端が載置されることで、カタログスタンドと商品見本展示スタンドとが組み合わされるように構成しているので、カタログと商品見本の展示を従来よりも大幅に小さいスペースで実現することができる。また、上記のように構成されることにより、カタログスタンド又は商品見本展示スタンドに前後方向又は横方向に外力が加わっても、互いに支持し合うため、倒れ難くなっている。また、例えば商品見本展示スタンドに前方に倒れる方向に回転力がかかったとしても、カタログスタンドの重量が載置板にかかるため、商品見本展示スタンドは倒れ難くなっている。
【発明を実施するための最良の形態】
【００１５】
以下、本発明の最良の実施の形態について、図面を参照しながら説明する。
【００１６】
《実施形態》
図１は、本実施形態にかかる商品見本及びカタログ展示ユニットを斜め前方から見た斜視図であり、図２は、斜め後方から見た斜視図である。図１及び図２に示されるように、本実施形態にかかる商品見本及びカタログ展示ユニット１は、カタログを展示するカタログスタンド２と、商品見本を展示する商品見本展示スタンド３とを備え、それらを組み合わせてカタログ４１と商品見本４３とを同時に展示できるようにしたものである。
【００１７】
図３は、カタログスタンド２と商品見本展示スタンド３とを組み合わせる様子を示す斜視図である。図４は、当該様子を示す側面図であり、一部を断面で示している。
【００１８】
カタログスタンド２は、表示板２１と、表示板２１の前面（後述する前面板２１ａ）に取り付けられ複数冊のカタログ４１を収納可能な箱状の収納部２２と、表示板２１を後方に傾斜した状態で背面側から支持可能な表示板支持用脚部２３とを有している。
【００１９】
表示板２１は、矩形の前面板２１ａと背面板２１ｂとを備え、上方を除くそれらの周囲３方が例えば棒状の角材を介して接着されて構成されている。これにより、表示板３１は、図４に示されるように互いの間に角材の厚み分の隙間を有し、当該隙間に図２に示されるように商品広告物４２を差し込み可能に構成されている。ここで、商品広告物４２とは、広告する商品に関連する情報が記載された紙状のものであり、例えば、カタログ４１を置いたときに隠れない部分に商品の名称や簡単な説明が記載されたものである。
【００２０】
前面板２１ａ及び背面板２１ｂの大きさは、カタログ４１などの大きさに応じて適宜設定可能なものであるが、例えば、縦幅約２９０ｍｍ、横幅約２００ｍｍに設定されている。前面板２１ａは、商品広告物４２に記載された事項が見えるように、透明の樹脂板で構成されている。なお、前面板２１ａは、その全体が透明の樹脂板で構成されるものに限定されるものではなく、商品広告物４２に記載された事項が見えるように構成されていればよい。例えば、前面板２１ａは、一部が透明の樹脂板で構成されたものであってもよいし、一部が単に開口されているものであってもよい。
【００２１】
背面板２１ｂは、特に限定されるものではないが、例えば、不透明の樹脂板で構成されている。背面板２１ｂの上部には、上記隙間に差し込まれた商品広告物４２の取り出しが容易となるように、図２に示されるように例えば半円状の切欠き２１ｃが設けられている。
【００２２】
収納部２２は、上部が開口する箱状に形成され、前面板２１ａに取り付けられている。収納部２２の背面は前面板２１ａで構成されている。収納部２２の横幅は、前面板２１ａの横幅よりも狭く、例えば約１６０ｍｍに設定されている。収納部２２の底面は、図４に示すように表示板２１が表示板支持用脚部２３により傾斜状態で支持されたときに、載置面と平行になるように構成されている。前面板２１ａで構成される背面を除いた収納部２２の各面は、特に限定されるものではないが、例えば不透明な樹脂板や厚紙で構成されている。収納部２２の前面の縦幅は、表示板２１及びカタログ４１の縦幅よりも短く且つカタログ４１が倒れない高さ、例えば約１５０ｍｍに設定されている。なお、収納部２２の前面から前面板２１ａまでの距離は、収納部２２に収納するカタログ４１の量に応じて適宜設定すればよい。
【００２３】
表示板支持用脚部２３は、一枚の厚紙に切り込みを入れたり折り曲げたりして組み立てられる組立構造を有している。また、表示板支持用脚部２３は、表示板２１を載置面に対して、例えば約７０度傾斜した状態で支持するように構成されている。なお、表示板支持用脚部２３の材質は、厚紙に限定されるものではなく、プラスチックなどの他の材質であってもよい。
【００２４】
図５は、商品見本４３の取り付け前の商品見本展示スタンド３を斜め前方から見た斜視図であり、図６は、それを斜め後方から見た斜視図である。図７は、商品見本展示スタンド３に商品見本４３を取り付ける様子を示す斜視図であり、図８は、商品見本展示スタンド３に商品見本４３を取り付けた状態を示す斜視図である。
【００２５】
商品見本展示スタンド３は、商品見本４３を取り付け可能な展示板３１と、展示板３１を後方に傾斜した状態で背面側から支持する展示板支持用脚部３２とを有している。
【００２６】
展示板３１は、略矩形の板状部材で構成されている。展示板３１の縦幅は、展示板支持用脚部３２により傾斜状態で支持されたときに、収納部２２に収納されたカタログ４１の一部が商品見本及びカタログ展示ユニット１の前方から見える高さに設定されている。すなわち、図４に示すように、傾斜状態における展示板３１の上端の高さは、傾斜状態におけるカタログスタンド２の収納部２２に収納されたカタログ４１の上端の高さよりも低く設定されている。なお、傾斜状態における展示板３１の上端の高さは、傾斜状態におけるカタログスタンド２の収納部２２の上端の高さよりも高く設定されることが好ましい。これにより、商品の広告に関与しない収納部２２を商品見本及びカタログ展示ユニット１の前方から見えないようにして外観を向上させることができる。
【００２７】
展示板３１の中央部には、商品見本４３を取り付けるための貫通穴３１ａと複数の締結穴の一例であるビス穴３１ｂが形成されている。図７に示されるように、商品見本４３に形成された複数のビス挿入穴４３ａを通して締結部材の一例であるビス４４がビス穴３１ｂにねじ込まれることで、図８に示すように商品見本４３が展示板３１に取り付けられる。このとき、商品見本４３の後方へ突出する突出部４３ｂが、図４に示すように貫通穴３１ａを貫通する。
【００２８】
展示板３１に取り付けられる商品見本４３としては、多種多様なものがあるが、例えば、部屋の電気を点灯又は消灯するときに押すスイッチ、電話回線用のコンセントやＬＡＮケーブル用のコンセント等をひとつのプレートにまとめた多機能コンセントなどが挙げられる。図８では、多機能コンセントを商品見本の一例として示している。
【００２９】
展示板支持用脚部３２は、展示板３１と直交する方向に、互いの間隔が表示板２１の横幅（例えば２００ｍｍ）と略同じ又は大きくなるように展示板３１に取り付けられた一対の側板３２ａ，３２ｂを有している。一対の側板３２ａ，３２ｂの間隔が表示板２１の横幅と略同じ又は大きく構成されているので、カタログスタンド２の特に収納部２２を側方から見えないようにすることができ、カタログスタンド２と商品見本展示スタンド３との一体性を高めて外観を向上させることができる。
【００３０】
一対の側板３２ａ，３２ｂには、図４に示すように展示板３１が傾斜状態で支持されているときに載置面と平行となるように、載置板３３ａ，３３ｂが取り付けられている。載置板３３ａ，３３ｂは、特に限定されるものではないが、例えば、奥行き方向（図４の横方向）の寸法が約８０ｍｍ、横幅が約２０ｍｍに設定されている。この載置板３３ａ，３３ｂ上に表示板２１の下端が載置されることで、カタログスタンド２と商品見本展示スタンド３とが組み合わされる。図４に示すように、収納部２２の前面が商品見本４３の突出部４３ｂと当接したとき、商品見本及びカタログ展示ユニット１の大きさが最小となる。このときの商品見本及びカタログ展示ユニット１の奥行き寸法（図４の横方向の寸法）は、カタログスタンド２の奥行き寸法と商品見本展示スタンド３の奥行き寸法とを合計した寸法よりも、カタログスタンド２が載置板３３ａ，３３ｂに載置されている距離分だけ小さくなっている。言い換えると、商品見本及びカタログ展示ユニット１の奥行き寸法は、カタログスタンド２の奥行き寸法と商品見本の奥行き寸法とを合計した寸法となっている。従って、商品見本及びカタログ展示ユニット１においては、カタログ４１と商品見本４３の展示を従来よりも大幅に小さいスペースで実現することができる。
【００３１】
なお、展示板３１と展示板支持用脚部３２とは、特に限定されるものではないが、重量のある商品見本４３を支持できるようにある程度強度のある部材、例えば半透明の樹脂板で構成されることが好ましい。また、展示板３１と展示板支持用脚部３２とは、一体成形により形成されてもよい。また、展示板支持用脚部３２の側板３２ａ，２３ｂと載置板３３ａ，３３ｂとは一体成形で形成されてもよいし、別々の部品として接着により取り付けてもよい。
【００３２】
以上、本実施形態にかかる商品見本及びカタログ展示ユニット１によれば、商品広告物４２を差し込みできるように表示板２１が構成されているので、展示する商品が変更された場合でも、商品広告物４２を取り替えるだけでよく、全体を取り替える必要が無い。このため、変更のサイクルが早い商品であっても、取り替えコストを従来よりも大幅に低減することができる。
【００３３】
また、本実施形態にかかる商品見本及びカタログ展示ユニット１によれば、載置板３３ａ，３３ｂ上に表示板２１の下端が載置されることで、カタログスタンド２と商品見本展示スタンド３とが組み合わされるように構成されているので、カタログ４１と商品見本４３の展示を従来よりも大幅に小さいスペースで実現することができる。また、上記のように構成されることにより、カタログスタンド２又は商品見本展示スタンド３に前後方向又は左右方向に外力が加わっても、互いに支持し合うため、倒れ難くなっている。また、例えば商品見本展示スタンド３に前方に倒れる方向に回転力がかかったとしても、カタログスタンド２の重量が載置板３３ａ，３３ｂにかかるため、商品見本展示スタンド３は倒れ難くなっている。すなわち、本実施形態のように、カタログスタンド２と商品見本展示スタンド３とを組み合わせる構造とすることにより、それらが単独で存在する場合よりも安定性を増すことができる。
【００３４】
なお、カタログスタンド２の重量は、商品見本展示スタンド３と商品見本４３とを合計した重量よりも重いことが好ましい。これにより、商品見本展示スタンド３が転倒する可能性をより低くして安定性を増すことができる。また、表示板２１の下端を載置板３３ａ，３３ｂに載置したとき、カタログスタンド２の重心が載置板３３ａ，３３ｂの上方に位置するように、カタログスタンド２が構成されると、さらに安定性が増すため好ましい。
【００３５】
なお、本発明は上記実施形態に限定されるものではなく、その他種々の態様で実施できる。例えば、カタログスタンド２と商品見本展示スタンド３とが組み合わされた状態を維持できるように別途ストッパーが設けられてもよい。なお、当該ストッパーが無い場合は、カタログスタンド２と商品見本展示スタンド３と別々に展示したいような場合や、商品に応じてカタログスタンド２の形状が変更されたような場合に、上記組み合わせを解除し易いといった利点がある。
【産業上の利用可能性】
【００３６】
本発明にかかる商品見本及びカタログ展示ユニットは、商品見本とカタログの展示をより小さいスペースで実現できるとともに、展示する商品が変更された場合でも全体を取り替える必要が無いので、商品見本とカタログとを同時に展示する広告手段に有用である。
【図面の簡単な説明】
【００３７】
【図１】本発明の実施形態にかかる商品見本及びカタログ展示ユニットを斜め前方から見た斜視図である。
【図２】図１の商品見本及びカタログ展示ユニットを斜め後方から見た斜視図である。
【図３】本発明の実施形態にかかる商品見本展示スタンドとカタログスタンドとを組み合わせる様子を示す斜視図である。
【図４】本発明の実施形態にかかる商品見本展示スタンドとカタログスタンドとを組み合わせる様子を一部断面で示す側面図である。
【図５】本発明の実施形態にかかる商品見本展示スタンドを前方から見た斜視図である。
【図６】本発明の実施形態にかかる商品見本展示スタンドを斜め後方から見た斜視図である。
【図７】図５の商品見本展示スタンドに商品見本を取り付ける様子を示す斜視図である。
【図８】図５の商品見本展示スタンドに商品見本を取り付けた状態を示す斜視図である。
【図９】従来のカタログスタンドを斜め前方から見た斜視図である。
【図１０】従来のカタログスタンドを斜め後方から見た斜視図である。
【符号の説明】
【００３８】
１    商品見本及びカタログ展示ユニット
２    カタログスタンド
２１    表示板
２２    収納部
２３    表示板支持用脚部
３    商品見本展示スタンド
３１    展示板
３２    側板
３３    載置板
４１    カタログ
４２    商品広告物
４３    商品見本
４４    ビス
【図１】
2010082154.tif 000003
【図２】
2010082154.tif 000004
【図３】
2010082154.tif 000005
【図４】
2010082154.tif 000006
【図５】
2010082154.tif 000007
【図６】
2010082154.tif 000008
【図７】
2010082154.tif 000009
【図８】
2010082154.tif 000010
【図９】
2010082154.tif 000011
【図１０】
2010082154.tif 000012